(57)【要約】【課題】外形に比較的大きな丸みを有する豚ロースなどのブロック肉や柔らかい生肉などであっても確実に切り離すことができる食肉スライサーを提供する。【解決手段】載置されたブロック肉Ｍを送り出す底部コンベヤ４と、底部コンベヤ４の一側に立設された側壁案内板６を備えた肉箱３と、肉箱３の前端部から送り出されるブロック肉Ｍを、側壁案内板６方向に押し付けながらスライスする回転刃とからなる食肉スライサーにおいて、側壁案内板６の少なくとも一部を底部コンベヤ４と同調して移動する側部コンベヤ５の搬送面で構成した。【選択図】図１
2007130692.tif 000002
【特許請求の範囲】
【請求項１】
載置されたブロック肉を送り出す底部コンベヤと、該底部コンベヤの一側に立設された側壁案内板を備えた肉箱と、該肉箱の前端部から送り出されるブロック肉を、前記側壁案内板方向に押し付けながらスライスする回転刃とからなる食肉スライサーにおいて、
前記側壁案内板の少なくとも一部を前記底部コンベヤと同調して移動する側部コンベヤの搬送面で構成したことを特徴とする食肉スライサー。
【請求項２】
前記側部コンベヤと前記底部コンベヤとを構成するそれぞれの無端帯状のコンベヤベルトの突合側端同士を伸縮帯で一体的に連結し、該伸縮帯の連結部分の内側に適宜丸みを持たせたことを特徴とする請求項１に記載の食肉スライサー。
【請求項３】
前記底部コンベヤの上面と前記側壁案内板とによって形成される隅角部に、前記側部コンベヤを、側壁案内板側に向けて傾斜させて配置したことを特徴とする請求項１に記載の食肉スライサー。
【請求項４】
前記食肉スライサーが、前記肉箱の先端の上方位置で揺動アームに支持され上下に揺動移動されてブロック肉の上部を押圧しながら前記底部コンベヤと協働してブロック肉を送り出す上部送りローラーを備えており、該上部送りローラーのうち前記肉箱の隅角部に位置するローラーを、直線部にある他の送りローラーの下動を妨げないように別個に揺動可能に前記揺動アームに取付けたことを特徴とする請求項３に記載の食肉スライサー。
【請求項５】
前記底部コンベヤの送り出し先端部から前記側部コンベヤの送り出し先端部に亘って、各コンベヤからブロック肉の端部を受取る受け面を有するとともに前記回転刃の刃先に近接する受刃を先端に有する受刃体を設けたことを特徴とする請求項１〜４の何れか１項に記載の食肉スライサー。
【請求項６】
前記肉箱が水平方向に往復移動する食肉スライサーであって、前記隅角部における前記回転刃が丸刃であって、該丸刃の刃先に近接する前記受刃体に形成された前記受刃は、前記底部コンベヤの送り出し方向の正面から見て、側壁側に向けて傾斜しており、該傾斜部分の側壁側終点の位置が丸刃の回転中心線より高位に位置していることを特徴とする請求項３〜５の何れか１項に記載の食肉スライサー。
【請求項７】
前記受刃体の先端に形成された前記受刃と前記回転刃の刃先とが互いに近接する方向に付勢されており、該受刃体または該回転刃の付勢方向の動きを規制するストッパーが設けられるとともに、該ストッパーによる規制位置が調節可能に構成されていることを特徴とする請求項３〜６の何れか１項に記載の食肉スライサー。
【請求項８】
前記受刃体または丸刃は、丸刃の使用前の刃先と丸刃の刃先が摩耗して耐久限度に達したときの刃先との刃厚方向の寸法差以上の距離だけ、後退方向へ移動可能であることを特徴とする請求項３〜７の何れか１項に記載の食肉スライサー。
【請求項９】
前記受刃体を板バネを介して肉箱に取り着けるとともに、該受刃体の送り出し方向以外への動きを規制するガイド手段を設けたことを特徴とする請求項３〜８の何れか１項に記載の食肉スライサー。
【請求項１０】
前記受刃体を、該受刃体の先端部に形成される前記受刃が回転刃の刃先に近接するように肉箱に支持させ、運転時にスライスしない作業行程であることを感知する感知手段を設けるとともに、スライスしない行程においては、前記受刃を前記回転刃の刃先から離反させる受刃体の後退手段を設けたことを特徴とする請求項３〜８の何れか１項に記載の食肉スライサー。
【請求項１１】
前記肉箱が水平方向に往復移動可能であり、該肉箱の往行程時にのみブロック肉をスライスする食肉スライサーにおいて、前記感知手段が該肉箱の復行程にあることを感知するセンサーであり、前記受刃体の後退手段は、該センサーの感知結果に基づき受刃を刃先から離反させるように受刃体を後退させる移動装置であることを特徴とする請求項１０に記載の食肉スライサー。
【発明の詳細な説明】
【技術分野】
【０００１】
本発明は回転刃を使用する食肉スライサーに関する。より詳しくは、本発明は牛肉や豚肉などブロック上の食肉（ブロック肉）をスライスする食肉スライサーの改良に関する。
【背景技術】
【０００２】
従来の食肉スライサーには、代表的なものとして、例えば特許文献１（実開平３−３６７９４公報）に示されるように、機台の定位置に設けられ垂直面内で回転する丸刃と、底部に設けられブロック肉を送り出すコンベヤと、先端部に受刃体を設けるとともに両側に側壁案内板を立設して角型樋状とした肉箱とからなり、肉箱の前端部を丸刃の刃面に沿わせて機台上を水平方向に往復動させることによって肉箱の前端部から送り出されたブロック肉を一方の側壁案内板と受刃体とによって形成された隅角部に向けて押し付けながら丸刃でスライスするようにしたものがある。
【０００３】
他の従来の食肉スライサーとして、特許文献２（特許第３３４５５５０号公報）に開示されているような渦巻型または湾曲形状の板刃からなる回転刃を使用して、特許文献１におけるものと同様な構成の肉箱の前端部に回転刃を通過させることによって、ブロック肉を一方の側壁案内板と受刃体とによって形成された隅角部に向けて押し付けながらスライスするものも知られている。
【０００４】
また、食肉スライサーにあっては、肉箱の先端の上方位置に、上部送りローラーなどの上部コンベヤをブロック肉の上部を押圧するように設け、肉箱の底部に設けたコンベヤと協働してブロック肉を送り出すようにすることが行なわれている。
【特許文献１】実開平３−３６７９４号公報
【特許文献２】特許３３４５５５０号公報
【発明の開示】
【発明が解決しようとする課題】
【０００５】
上述のような従来のブロック肉スライサーにあっては、特に柔らかい生肉などをスライスする際には、ブロック肉が丸刃や板刃などの回転刃により側壁案内板に押し付けられて付着するので底部コンベヤおよび上部コンベヤによるブロック肉の送り出しに対する抵抗が大きくなり、底部コンベヤ、上部コンベヤによるブロック肉の送り出しの邪魔をする。特に、特許文献１に開示されているような肉箱を左右に往復動させる形態のスライサーにあっては、肉箱の移動に起因して発生するブロック肉の慣性力によってブロック肉が側壁案内板に押し付けられので、その傾向が強い。従って、ブロック肉のうち、側壁案内板側に位置するブロック肉の移送が遅れ勝ちとなり、丸刃や板刃などの回転刃により側壁案内板側が薄くスライスされることとなり、その結果、厚みが均一なスライス肉片が得られない。
【０００６】
更に、従来のスライサーにおいては、側壁案内板と肉箱の底面とによって形成される隅角部は、切断面における断面で見ると（すなわち、送り出し方向に直交する断面においては）、略直角状となっている。略直角状となった隅角部前端が、ブロック肉がスライスされるときの切り終わり部分であり、ブロック肉は丸刃や板刃などの回転刃によりこの隅角部に押し付けられながら、丸刃や板刃などの回転刃でスライスされスライス肉片が切り離される。
【０００７】
外形に比較的大きな丸みを有するブロック肉（豚ロースなど）をこのような従来のスライサーにおいてスライスする場合には、ブロック肉の外形が直角状に形成された隅角部の内面にぴったりと沿うことができず、ブロック肉と隅角部内面との間に三角形状の隙間が生じ、この隙間近傍のブロック肉は受刃面により支持されず浮いた状態でスライスされることとなる。このように、受け止められる受刃面がなく浮いてフリーの状態でブロック肉がスライスされると、スライスされた肉片をブロック肉から確実に切り離すことができず、スライス肉片が回転刃に引き込まれてロスとなったり、得られるスライス肉片の形状が乱れたり、また、スライス肉片の取り出しなどの後作業に支障を来たすことがある。
【０００８】
本発明は上述したような従来の食肉スライサーに付随する問題、すなわち、ブロック肉が丸刃や板刃などの回転刃により側壁案内板に押し付けられて付着するため側壁案内板側が薄くスライスされ、厚みが均一なスライス肉片が得られないという問題、および／またはブロック肉と隅角部内面との間に三角形状の隙間が生じるため、スライスされた肉片をブロック肉から確実に切り離すことができず、スライス肉片が回転刃によって引き込まれてロスとなったり、得られるスライス肉片の形状が乱れたり、また、スライス肉片の取り出しなどの後作業に支障を来たすという問題、を解決できる食肉スライサーを提供することを目的とする。
【課題を解決するための手段】
【０００９】
本発明においては、載置されたブロック肉を送り出す底部コンベヤと、該底部コンベヤの一側に立設された側壁案内板を備えた肉箱と、該肉箱の前端部から送り出されるブロック肉を、前記側壁案内板方向に押し付けながらスライスする回転刃とからなる食肉スライサーにおいて、前記側壁案内板の少なくとも一部を前記底部コンベヤと同調して移動する側部コンベヤの搬送面で構成したことを特徴とする食肉スライサーにより、上述の目的を達成する。
【００１０】
本発明における回転刃には、特許文献１に開示されているような丸刃や特許文献２に開示されているような板刃を含むものである。
【００１１】
このように、側壁案内板の少なくとも一部を前記底部コンベヤと同調して移動する側部コンベヤの搬送面で構成したので、ブロック肉が丸刃や板刃などの回転刃により側壁案内板に押し付けられても、押し付けられたブロック肉は側部コンベヤの搬送面により底部コンベヤと同調して移動され、その状態で回転刃によりスライスされるので厚みが均一なスライス肉片が得られる。
【００１２】
この場合に、前記側部コンベヤと前記底部コンベヤとを構成するそれぞれの無端帯状のコンベヤベルトの突合側端同士を伸縮帯で一体的に連結して、伸縮帯も底部コンベヤと同調して移動するようにし、該伸縮帯の連結部分の内側に適宜丸みを持たせることが好ましい。
【００１３】
また、前記底部コンベヤの上面と前記側壁案内板とによって形成される隅角部に、前記側部コンベヤを、側壁案内板側に向けて傾斜させて配置することにより、スライス肉片の厚みを均一にスライスできるとともに、隅角部に側壁案内板側に向けて側部コンベヤを傾斜させて配置することにより、ブロック肉と隅角部内面との間の三角形状の隙間がなくなりまたは小さくなり、外形に比較的大きな丸みを有する豚ロースなどのブロック肉や柔らかい生肉などであってもスライスされた肉片をブロック肉から確実に切り離すことができ、肉片が回転刃に引き込まれることがなくロスが生じずまたは減少し、得られるスライス肉片の形状が乱れず、また、スライス肉片の取り出しなどの後作業が円滑に行える。
【００１４】
この場合に、側部コンベヤは、底部コンベヤとの間に、９０°を超え、１８０°未満の角度、特に好ましくは１３５°程度の角度をなして傾斜していることが、ブロック肉と隅角部内面との間の三角形状の隙間を殆どなくせて、好ましい。
【００１５】
上述したように、底部コンベヤの上面と側部案内板によって形成される隅角部に、内側に適宜丸みを有する伸縮帯または側壁案内板側に傾斜させた側部コンベヤを設け、底部コンベヤと同調して移動させることにより、回転刃により隅角部に押付けられたブロック肉が確実に送られて、厚さの均一なスライス肉片が得られる。
【００１６】
前記食肉スライサーが、前記肉箱の先端の上方位置で揺動アームに支持され上下に揺動移動されてブロック肉の上部を押圧しながら前記底部コンベヤと協働してブロック肉を送り出す上部送りローラーを備えている場合には、該上部送りローラーのうち前記肉箱の隅角部に位置するローラーを、直線部にある他の送りローラーの下動を妨げないように別個に揺動可能に前記揺動アームに取付けることが好ましい。このようにすることにより、底部コンベヤ部および隅角部に位置するブロック肉をともにほぼ一様に押圧することができ、ブロック肉の送り出しを滑らかに行える。
【００１７】
本発明においては、前記底部コンベヤの送り出し先端部から前記側部コンベヤの送り出し先端部に亘って、各コンベヤからブロック肉の端部を受取る受け面を有するとともに前記回転刃の刃先に近接する受刃を先端に有する受刃体を設けることにより、ブロック肉の端部が受刃体の隅角部を含む受け面に確実に受け取られ、回転刃と受刃体とにより恰もまな板上の品物を包丁で切るように、更には、回転刃の刃先と受刃体の受刃によりブロック肉を挟んで確実にスライスすることができ、好ましい。
【００１８】
特に、前記肉箱が丸刃の回転面内で水平方向に往復移動する食肉スライサーに本発明を適用する場合には、前記隅角部における前記丸刃の刃先に近接する前記受刃体に形成された前記受刃は、前記底部コンベヤの送り出し方向の正面から見て、側壁側に向けて傾斜しており、該傾斜部分の側壁側終点の位置が丸刃の回転中心線より高位に位置していることにより、丸刃による切り終りまで、丸刃のブロック肉押し付け力を受刃体に形成された受刃により受けることができ、好ましい。
【００１９】
また、前記受刃体の先端に形成された前記受刃と前記回転刃の刃先とが互いに近接する方向に付勢されており、該受刃体または該回転刃の付勢方向の動きを規制するストッパーが設けられるとともに、該ストッパーによる規制位置が調節可能に構成されていることにより、回転刃と受刃体とによりブロック肉を確実にスライスでき、好ましい。
【００２０】
なお、ブロック肉のスライスにつれて丸刃は摩耗する。丸刃の摩耗に対応し、受刃体または丸刃を移動させて、受刃対と丸刃殿各各を調節する。前記受刃体または丸刃は、丸刃の使用前の刃先と丸刃の刃先が摩耗して耐久限度に達したときの刃先との刃厚方向の寸法差以上の距離だけ、後退方向へ移動可能とすることにより丸刃の交換が容易に行なえ好ましい。
【００２１】
また、前記受刃体を板バネを介して肉箱に取り着けるとともに、該受刃体の送り出し方向以外への動きを規制するガイド手段を設けてもよい。
【００２２】
更に、前記受刃体を、該受刃体の先端部に形成される前記受刃が回転刃の刃先に近接するように肉箱に支持させ、運転時にスライスしない作業行程であることを感知する感知手段を設けるとともに、スライスしない行程においては、前記受刃を前記回転刃の刃先から離反させる受刃体の後退手段を設けてもよい。
【００２３】
また、前記肉箱が水平方向に往復移動可能であり、該肉箱の往行程時にのみブロック肉をスライスする食肉スライサーに本発明を適用する場合には、前記感知手段が該肉箱の復行程にあることを感知するセンサーであり、前記受刃体の後退手段は、該センサーの感知結果に基づき受刃を刃先から離反させるように受刃体を後退させる移動装置とすることが好ましい。
【発明の効果】
【００２４】
本発明によれば、上述したような特許文献１または特許文献２に開示された従来の食肉スライサーに付随する問題を解決できる。
【００２５】
より詳しくは、本発明によれば、ブロック肉が丸刃や板刃などの回転刃により側壁案内板に押し付けられて付着するため側壁案内板側が薄くスライスされ、厚みが均一なスライス肉片が得られないという問題を解決できる食肉スライサーが提供される。
【００２６】
更に、その効果と同時にまたはその効果とは別にブロック肉と隅角部内面との間に三角形状の隙間が生じるため、スライスされた肉片をブロックから確実に切り離すことができず、肉片が回転刃によって引き込まれてロスとなったり、得られるスライス肉片の形状が乱れたり、また、スライス肉片の取り出しなどの後作業に支障を来たすという問題を解決できる食肉スライサーが提供される。
【発明を実施するための最良の形態】
【００２７】
以下、本発明の実施例を図示した添付図面を参照して、本発明に係る食肉スライサーを詳細に説明する。図１は、本発明の第１実施例の食肉スライサーの全体を示す斜視図である。
【００２８】
この第１実施例の食肉スライサーの基本構成自体は公知のものであるので、公知部分については細部に亘る構成の図示および説明は省略し、本発明に関連する主要部についてのみ説明する。
【００２９】
図１において、丸刃２は公知の方法により機台１の定位置で垂直面内で水平軸線の回りで図１の矢印Ａ方向に回転する。なお、本発明における回転刃には、特許文献１に開示されているような丸刃や特許文献２に開示されているような板刃を含むものであるが、第１実施例においては丸刃２が図示されている。
【００３０】
機台１の上面に肉箱３が設けられている。肉箱３は、底部にブロック肉Ｍ（図１には図示せず。図２参照）を送り出す底部コンベヤ４が設けられ、丸刃２側の先端部に俗に「まな板」と呼ばれる受刃体４２が設けられている。更に、従来の食肉スライサーにあっては、肉箱３の両側にそれぞれ丸刃２の刃面に直交する側壁案内板（図１の符号５、６′の箇所）が立設されており、肉箱３は角型樋状をしている。なお、符号６′で示される丸刃２側の側壁案内板はブロック肉Ｍの大きさに合わせて図２および図３に二点鎖線で示すように取付け位置を調節可能である。
【００３１】
公知の往復動手段（図示せず）により、肉箱３を機台１上において、その肉箱３の前端部（受刃体４２側）が丸刃２の刃面に沿うようにして、水平方向に丸刃２に接近および離反する方向（図１の矢印Ｂ、Ｃ）に往復させる。底部コンベヤ４は肉箱３の丸刃２から離反する方向への移動（矢印Ｃ方向への移動）に連動して載置されたブロック肉Ｍを前端部へ向けて送り出す。
【００３２】
従来の食肉スライサーにあっては、底部コンベヤ４によって肉箱３の前端部から送り出されたブロック肉Ｍを、反丸刃２側の側壁案内板に向けて押し付けながら、更に、ブロック肉Ｍがスライスされる先端部分をこの反丸刃２側の側壁案内板と受刃体４２とによって形成される隅角部に向けて押し付けながら、丸刃２でスライスしている。
【００３３】
また、一般的に、肉箱３の底部に備えられブロック肉Ｍを送り出す底部コンベヤ４の上側には、例えば図７および図８を参照して後述するように、肉箱３の先端の上方位置で揺動アーム３８に支持され上下に揺動移動されてブロック肉Ｍの上部を押圧しながら底部コンベヤ４と協働してブロック肉Ｍを送り出す上部送りローラー３９が備えられている。
【００３４】
従来の食肉スライサーにあっては、特に柔らかい生肉などをスライスする際には、ブロック肉Ｍが丸刃２や板刃などの回転刃により側壁案内板６（図１の符号５に対応する位置に設置されている）に押し付けられて付着するので底部コンベヤ４および上部送りローラー３９によるブロック肉Ｍの送り出しに対する抵抗が大きくなり、底部コンベヤ２、上部送りローラー３９によるブロック肉Ｍの送り出しの邪魔をする。特に上部送りローラー３９がブロック肉Ｍを押圧することによって、比較的大型で柔らかい生肉等は側壁案内板６側にはみ出るようになり、それだけ側壁案内板６に強く押付けられる。従って、ブロック肉Ｍのうち、側壁案内板６側に位置するブロック肉Ｍの移送が遅れ勝ちとなり、丸刃２や板刃などの回転刃により側壁案内板６側の肉が薄くスライスされることとなり、その結果、厚みが均一なスライス肉片が得られない。
【００３５】
本発明は上述したような従来の食肉スライサーに付随する問題、すなわち、ブロック肉Ｍが丸刃２や板刃などの回転刃により側壁案内板６に押し付けられて付着するため側壁案内板６側が薄くスライスされ、厚みが均一なスライス肉片が得られないという問題を解決できる食肉スライサーを提供することを目的とする。
【００３６】
図１に示す実施例においては、反丸刃２側の側壁案内板を底部コンベヤ４と同調して移動する側部コンベヤ５の搬送面で構成している。すなわち、無端帯状のコンベヤベルトからなる底部コンベヤ４の幅方向の反丸刃２側の縁部付近を、走行方向の全域に亘り起立させて側部コンベヤ５としている。この実施例においては、図２および図３に示すように、側部コンベヤ５は底部コンベヤ４とほぼ直交して設置している。
【００３７】
図２は図１に示す実施例における底部コンベヤ４と側部コンベヤ５との従動側における連結状態を示す一実施例の断面図である。図２において、側部コンベヤ５と底部コンベヤ４とを構成するそれぞれの無端帯状のコンベヤベルトの突合側端同士を伸縮帯７で一体的に連結しており、この伸縮帯７も底部コンベヤ４と同調して移動でき、伸縮帯７の連結部分のうち、内側に位置する箇所に適宜丸み（図２の実施例では半径Ｒの円弧状断面）を持たせている。この半径Ｒの大きさは、通常１０ｍｍから１００ｍｍの範囲内で、スライスしようとするブロック肉Ｍの外径Ｒに対応して設定する。伸縮帯７は底部コンベヤ４や側部コンベヤ５に比較して軟質の弾性体または蛇腹で製作し、両コンベヤ４、５に接合して一体的な構成としてもよい。
【００３８】
底部コンベヤ４と側部コンベヤ５との駆動側における動力伝達方法を図３に示す。図３において、肉箱３が丸刃２から離反する方向（図１の矢印Ｃ）に移動する際に、底部コンベヤ４の駆動軸１１に底部コンベヤ４の移動動力が伝達される。底部コンベヤ４の駆動軸１１の端部と側部コンベヤ５の駆動軸１２の端部とに互いに噛合する一組のベベルギヤ３５、３５を取着して側部コンベヤ５が底部コンベヤ４と同調して移動するようになっている。
【００３９】
なお、符号３１は肉箱３を構成する枠体であって、底部コンベヤ４と側部コンベヤ５とを取付けたコンベヤフレーム１０を保持する。すなわち、枠体３１は肉箱３の骨格の一部であり、肉箱３の底部（底部コンベヤ４の下方）に位置しており、図２、図３において、左右の連結アングル３１ｃ、３１ｄ間を繋いでいる。連結アングル３１ｃ、３１ｄは肉箱３の前後方向に延設されており、左右位置に設けられた側壁案内板６および支持ステー３１ｂを支えている。
【００４０】
コンベヤフレーム１０の丸刃２側（図２、図３の左側）の構造は次のようになっている。底部コンベヤ４と側部コンベヤ５との駆動側においては、図３に示すように、肉箱３の前端側に支承された駆動軸１１が連結アングル３１ｃを貫通している。また、底部コンベヤ４と側部コンベヤ５との従動側においては、図２に示すように、枠体３１からガイドピン１０ａが突出している。
【００４１】
一方、コンベヤフレーム１０の側部コンベヤ５側（図２、図３の右側）の構造は次のようになっている。連結アングル３１ｄに取付けられた支持ステー３１ｂの上端部に連結ステー３２を締結して、コンベヤフレーム１０の側部コンベヤ５側端部を枠体３１に支持している。
【００４２】
このように、側壁案内板の少なくとも一部を底部コンベヤ４と同調して移動する側部コンベヤ５の搬送面で構成したので、ブロック肉Ｍが丸刃２や板刃などの回転刃により側壁案内板６の方向に押し付けられても、押し付けられたブロック肉Ｍは側部コンベヤ５の搬送面により底部コンベヤ４と同調して移動され、その状態で回転刃によりスライスされるので厚みが均一なスライス肉片が得られる。
【００４３】
また、側部コンベヤ５と底部コンベヤ４との突合側端同士を伸縮帯７で一体的に連結し、伸縮帯７の連結部分の内側に適宜丸みＲを持たせているので、この丸み部が底部コンベヤ４の上面と側壁案内板６とによって形成される隅角部に該当し、ブロック肉Ｍと隅角部の内面との間の三角形状の隙間がなくなりまたは小さくなり、外形に比較的大きな丸みを有する豚ロースなどのブロック肉や柔らかい生肉などをスライスする場合であっても、ブロック肉Ｍを回転刃と受刃体４２で挟持してスライスすることができる。これによって、スライスされた肉片をブロック肉から確実に切り離すことができ、スライス肉片が回転刃に引き込まれることがなくロスが生じずまたは減少し、得られるスライス肉片の形状が乱れず、また、スライス肉片の取り出しなどの後作業が円滑に行える。
【００４４】
図１〜図３に示す上記実施例においては、側部コンベヤ５は側壁案内板６に代えて、その設置距離の全域に亘る幅の側部コンベヤ５を採用し、底部コンベヤ４とほぼ直交して設置していた。
【００４５】
これに対して、図５に示す実施例においては、側壁案内板６の一部（下部）を底部コンベヤ４と同調して移動する側部コンベヤ５としており、側部コンベヤ５の直線搬送部分は比較的短く構成している。また、図２に示す実施例と同様に、側部コンベヤ５と底部コンベヤ４とを構成するそれぞれの無端帯状のコンベヤベルト４、５の突合側端同士を伸縮帯７で一体的に連結しており、伸縮帯７の連結部分のうち、内側に位置する箇所に適宜丸みを持たせており、このようにして側部コンベヤ５を前述した隅角部に位置させている。
【００４６】
また、図６に示す実施例においては、底部コンベヤ４の上面に対して側部コンベヤ５を側壁案内板６側に向けて角度αをなして傾斜させて配置し、側部コンベヤ５を隅角部に位置させている。なお、角度αは９０°〜１８０°の間の角度とし、特に好ましくは約１３５°とする。
【００４７】
図４は図６に示す実施例の底部コンベヤ４と側部コンベヤ５が取付けられたコンベヤフレームの平面図であり、傾斜している側部コンベヤ５を水平面内に展開した状態で示している。コンベヤフレーム１０は、底部コンベヤ４部分と側部コンベヤ５部分と両コンベヤ部分を連結する連結棒１３、１３とにより構成されている。底部コンベヤ４部分と側部コンベヤ５部分とは幅寸法（図４における左右方向寸法）が異なる以外は同様の構造としている。すなわち、井桁状の枠体４ａ、５ａの送り方向前端側には駆動軸１１、１２を支承するメタル１５、１５が取付けられており、駆動軸１１、１２にはコンベヤベルト４′、５′を駆動するローラー９、９が固着されている。駆動軸１１、１２の軸端は等速形ユニバーサルジョイント３６で互いに連結されていて、側部コンベヤ５が底部コンベヤ４と同調して移動するように構成されている。
【００４８】
図６における符号３７はステンレススチールなどで作られた案内板であり、等速形ユニバーサルジョイント３６の内側位置において肉箱３の長手方向に延在して、ブロック肉Ｍを案内して肉が等速形ユニバーサルジョイント３６に詰まることを防止している。
【００４９】
コンベヤフレーム１０の送り方向後端側には遊動ローラー２０、２０が前後方向に移動可能に支承され、前述した駆動ローラー９、９と遊動ローラー２０、２０とにコンベヤベルト４′、５′が掛け回されている。
【００５０】
上述したコンベヤフレーム１０の構造は、他の実施例においてもほぼ同様な構造とされており、同一または類似部品には同一引用符号を付している。
【００５１】
これらにより、ブロック肉Ｍと隅角部の内面との間の三角形状の隙間がなくなりまたは小さくなり、外形に比較的大きな丸みを有する豚ロースなどのブロック肉や柔らかい生肉などをスライスする場合であっても、ブロック肉を回転刃と受刃体４２で挟持してスライスするので、スライスされた肉片をブロックから確実に切り離すことができ、肉片が回転刃によって引き込まれることがなくロスが生じずまたは減少し、得られるスライス肉片の形状が乱れず、また、スライス肉片の取り出しなどの後作業が円滑に行える。
【００５２】
また、前述したように、肉箱３の底部に備えられブロック肉Ｍを送り出す底部コンベヤ４の上側には、肉箱３の先端の上方位置で揺動アーム３８に回転可能に支持され上下に揺動移動されてブロック肉Ｍの上部を押圧しながら底部コンベヤ４と協働してブロック肉Ｍを送り出す上部送りローラー３９が備えられている。
【００５３】
この場合に、肉箱３のほぼ全幅に亘る１本の上部送りローラー３９を用いると、図５または図６に示すように側部コンベヤ５が底部コンベヤ４に対して傾斜配置されていると、上部送りローラー３９は底部コンベヤ４および側部コンベヤ５の上に載置されたブロック肉Ｍを一様に押圧できなくなる。そこで、本発明の実施例として、この問題を解消できるもものを提供する。図７にこの実施例の側面図、図８に正面図を示す。
【００５４】
図７および図８に示すように、揺動アーム３８とは別個に補助揺動アーム４０を揺動アーム３８の中間部に支承し、上部送りローラー３９のうち底部コンベヤ４に対応する上部送りローラー３９を揺動アーム３８の下端部に支承し、上部送りローラー３９のうち肉箱３の隅角部に位置するローラー３９ａを補助揺動アーム４０の下端部に支承し、ローラー３９ａが揺動アーム３８に取付けた上部送りローラー３９の下動を妨げないようにしている。なお、スプリング４１は補助揺動アーム４０を付勢してローラー３９ａが適宜の押圧力でブロック肉Ｍを押圧するようにしている。このローラー３９ａは適宜手段により駆動するようにしてもよい。
【００５５】
次に図６に示す実施例における肉箱３の先端部に取着される「まな板」と呼ばれる受刃体１２を図９を参照して説明する。枠板３１ａは肉箱３を構成しており、肉箱３の先端部に位置しており、枠板３１ａに受刃体１２が取着されている。図９（ａ）に示すように、底部コンベヤ４の送り出し先端部から側部コンベヤ５の送り出し先端部に亘って、くの字状形状をし、底部コンベヤ４および側部コンベヤ５からブロック肉Ｍの端部を受取る受け面４２ａを有するとともに回転刃の刃先に近接する受刃４２ｂを先端に有する受刃体４２を設けている（図１１参照）。
【００５６】
受刃体４２は前述のように底部コンベヤ４と側部コンベヤ５の送り出し先端部に亙って設けられるが、特に両コンベヤ４、５の付合わせ部分（くの字の屈曲部）の上面は緩やかな曲線をなしている。同様に、図２、図５に示す実施例においても図示を省略しているが、底部コンベヤ４と側部コンベヤ５の送り出し先端部に亙って受刃体４２が設けられ、両コンベヤ４、５の付合わせ部分（隅角部に対応）は伸縮帯７の内面側に付与された丸みに沿わせた形状とされている。
【００５７】
ここに、受刃体４２の先端に形成された受刃４２ｂと回転刃の刃先とが互いに近接する方向に、枠板３１ａにねじ止めしＬ字状断面をした板ばね４３、またはスプリング（図示せず）などにより付勢されており、該受刃体４２または該回転刃の付勢方向の動きを規制するストッパー４６（図１３、図１４参照）が設けられるとともに、図１３においてはストッパーを構成し受刃体４２に当接するボルト４６の捩じ込み量を調節し、また図１４においては丸刃２を支承する軸受ボックス５０の位置をストッパー４６の捩じ込み量を調整して、規制位置が調節可能である。
【００５８】
図１１または図１２に示すように、受刃体４２を板バネ４３を介して枠板３１ａに取付けるとともに、受刃体４２の送り出し方向以外への動きを規制するガイド手段４５を設けてもよい。
【００５９】
更に、上述した図６または図８に示す実施例においては、図１０に示すように、側部コンベヤ５は、底部コンベヤ４の送り出し方向の正面から見て、側壁側に向けて傾斜しており、受刃体４２も底部コンベヤ４から側部コンベヤ５に亘りくの字状に延在している。受刃体４２の傾斜部分の側壁側終点Ｇの位置が、丸刃２の回転中心線ＯＬより高位に位置していることにより、丸刃２による切り終りまで、丸刃２のブロック肉Ｍ押し付け力を受刃体４２に形成された受刃４２により受けることができる。また、丸刃２に対して受刃４２が鋭角β（図１０参照）を保って移動するので、丸刃２の刃先が受刃４２に接触しても、所謂食い付き現象が起こらない。
【００６０】
また、丸刃２は使用につれて摩耗する。そこで、受刃体４２または丸刃２は、図１５に示すように、丸刃２の使用前の刃先（直径Ｄ１）と丸刃２の刃先が摩耗して耐久限度に達したときの刃先（直径Ｄ２）との刃厚方向の寸法差ｃ以上の距離だけ、図１４の装置により後退方向へ移動可能とすることで、丸刃２を新しい丸刃と交換したときに、刃先と受刃４２ｂとの間隔が元の丸刃２に合わせて調節されたままであっても、刃先に受刃４２ｂが衝突して破損するおそれがない。
【００６１】
更に、受刃体４２を、受刃体４２の先端部に形成される受刃４２ｂが回転刃の刃先に近接するように肉箱３に支持させ、運転時にスライスしない作業行程であることを感知する感知手段（図示せず）を設けるとともに、スライスしない行程においては、受刃４２ｂを回転刃の刃先から離反させる受刃体４２の後退手段を設けることが好ましい。
【００６２】
また、肉箱３が水平方向に往復移動可能であり、肉箱３の往行程時にのみブロック肉Ｍをスライスする食肉スライサーにおいては、感知手段が肉箱３の復行程にあることを感知するセンサー（図示せず）であり、受刃体４２の後退手段は、センサーの感知結果に基づき受刃４２ｂを刃先から離反させるように受刃体４２を後退させる磁石４８と近接スイッチ４９で構成され移動装置４７であってもよい。
【図面の簡単な説明】
【００６３】
【図１】本発明の第１実施例の食肉スライサーの全体を示す斜視図である。
【図２】図１に示す実施例における底部コンベヤと側部コンベヤとの従動側における連結状態を示す一実施例の断面図である。
【図３】図１に示す実施例における底部コンベヤと側部コンベヤとの駆動側における動力伝達方法を示す断面図である。
【図４】図６に示す実施例の底部コンベヤと側部コンベヤコンベヤが取付けられたコンベヤフレームの平面図であり、傾斜している側部コンベヤを水平面内に展開した状態で示している。
【図５】本発明に係る別の実施例における底部コンベヤと側部コンベヤとの連結状態を示す正面図である。
【図６】本発明に係る更に別の実施例における底部コンベヤと側部コンベヤとの連結状態を示す断面である。
【図７】上部送りローラーを工夫した実施例の側面図である。
【図８】図７に示す実施例の正面図を示す。
【図９】図６または図８に示す実施例に用いる受刃体を示す図であり、（ａ）は部分正面図、  （ｂ）は（ａ）のＧ矢視図である。
【図１０】図６、図８に示す実施例における受刃体と丸刃の相対移動関係を示す線図である。
【図１１】図９のＤ−Ｄ′断面図である。
【図１２】図９のＥ−Ｅ′断面図である。
【図１３】図９のＦ−Ｆ′断面図である。
【図１４】丸刃の取付け、受刃体との距離の調節方法を示す断面図である。
【図１５】摩耗前と摩耗後の丸刃の状態を示す図である。
【符号の説明】
【００６４】
２  丸刃
３  肉箱
４  底部コンベヤ
５  側部コンベヤ
６  側壁案内板
７  伸縮帯
３８  揺動アーム
３９、３９ａ  上部送りローラー
４２  受刃体
４２ａ  受け面
４２ｂ  受刃
Ｍ  ブロック肉
【図１】
2007130692.tif 000003
【図２】
2007130692.tif 000004
【図３】
2007130692.tif 000005
【図４】
2007130692.tif 000006
【図５】
2007130692.tif 000007
【図６】
2007130692.tif 000008
【図７】
2007130692.tif 000009
【図８】
2007130692.tif 000010
【図９】
2007130692.tif 000011
【図１０】
2007130692.tif 000012
【図１１】
2007130692.tif 000013
【図１２】
2007130692.tif 000014
【図１３】
2007130692.tif 000015
【図１４】
2007130692.tif 000016
【図１５】
2007130692.tif 000017
【手続補正書】
【提出日】平成17年11月11日(2005.11.11)
【手続補正１】
【補正対象書類名】明細書
【補正対象項目名】０００１
【補正方法】変更
【補正の内容】
【０００１】
本発明は回転刃を使用する食肉スライサーに関する。より詳しくは、本発明は牛肉や豚肉などブロック状の食肉（ブロック肉）をスライスする食肉スライサーの改良に関する。
【手続補正２】
【補正対象書類名】明細書
【補正対象項目名】０００５
【補正方法】変更
【補正の内容】
【０００５】
上述のような従来のブロック肉スライサーにあっては、特に柔らかい生肉などをスライスする際には、ブロック肉が丸刃や板刃などの回転刃により側壁案内板に押し付けられて付着するので底部コンベヤおよび上部コンベヤによるブロック肉の送り出しに対する抵抗が大きくなり、底部コンベヤ、上部コンベヤによるブロック肉の送り出しの邪魔をする。特に、特許文献１に開示されているような肉箱を左右に往復動させる形態のスライサーにあっては、肉箱の移動に起因して発生するブロック肉の慣性力によってブロック肉が側壁案内板に押し付けられるので、その傾向が強い。従って、ブロック肉のうち、側壁案内板側に位置するブロック肉の移送が遅れ勝ちとなり、丸刃や板刃などの回転刃により側壁案内板側が薄くスライスされることとなり、その結果、厚みが均一なスライス肉片が得られない。
【手続補正３】
【補正対象書類名】明細書
【補正対象項目名】００２０
【補正方法】変更
【補正の内容】
【００２０】
なお、ブロック肉のスライスにつれて丸刃は摩耗する。丸刃の摩耗に対応し、受刃体または丸刃を移動させて、受刃体と丸刃との間隔を調節する。前記受刃体または丸刃は、丸刃の使用前の刃先と丸刃の刃先が摩耗して耐久限度に達したときの刃先との刃厚方向の寸法差以上の距離だけ、後退方向へ移動可能とすることにより丸刃の交換が容易に行なえ好ましい。
【手続補正４】
【補正対象書類名】明細書
【補正対象項目名】００５６
【補正方法】変更
【補正の内容】
【００５６】
受刃体４２は前述のように底部コンベヤ４と側部コンベヤ５の送り出し先端部に亙って設けられるが、特に両コンベヤ４、５の突合わせ部分（くの字の屈曲部）の上面は緩やかな曲線をなしている。同様に、図２、図５に示す実施例においても図示を省略しているが、底部コンベヤ４と側部コンベヤ５の送り出し先端部に亙って受刃体４２が設けられ、両コンベヤ４、５の突合わせ部分（隅角部に対応）は伸縮帯７の内面側に付与された丸みに沿わせた形状とされている。
【手続補正５】
【補正対象書類名】明細書
【補正対象項目名】００５９
【補正方法】変更
【補正の内容】
【００５９】
更に、上述した図６または図８に示す実施例においては、図１０に示すように、側部コンベヤ５は、底部コンベヤ４の送り出し方向の正面から見て、側壁側に向けて傾斜しており、受刃体４２も底部コンベヤ４から側部コンベヤ５に亘りくの字状に延在している。受刃体４２の傾斜部分の側壁側終点Ｇの位置が、丸刃２の回転中心線ＯＬより高位に位置していることにより、丸刃２による切り終りまで、丸刃２のブロック肉Ｍ押し付け力を受刃体４２に形成された受刃４２ｂにより受けることができる。また、丸刃２に対して受刃４２ｂが鋭角β（図１０参照）を保って移動するので、丸刃２の刃先が受刃４２ｂに接触しても、所謂食い付き現象が起こらない。
【手続補正６】
【補正対象書類名】図面
【補正対象項目名】図１０
【補正方法】変更
【補正の内容】
【図１０】
2007130692.tif 000018